(57)【要約】【課題】通常受信する情報からでは知ることができない分析装置の状況を、遠隔の端末にて確認することができる分析装置及び制御プログラムを提供する。【解決手段】ネットワークに接続可能な分析装置１０に、カメラ２５を接続するためのカメラインターフェースと、カメラで撮影される映像をネットワーク４０上のパソコン３０に送信する制御部とを設け、カメラ２５で撮影した分析装置に関連する映像を遠隔のパソコン３０のモニタに表示する。これにより、所定のセンサの測定値やエラー発生時のログ等の予め定められた情報では知ることができない分析装置１０の状況を遠隔のパソコン３０で確認することができるようになる。また、オペレータが分析装置まで足を運ぶ手間や労力が省かれる。【選択図】図１
2010025726.tif 000002
【特許請求の範囲】
【請求項１】
ネットワークに接続するためのネットワークインターフェースを備えた分析装置であって、
該分析装置を撮影するカメラを接続するためのカメラインターフェースと、
前記カメラによって撮影される映像を前記カメラインターフェースを通じて取り込み、該映像を前記ネットワークに接続される端末に前記ネットワークインターフェースを通じて送信する制御手段と、
を備えることを特徴とする分析装置。
【請求項２】
前記制御手段が、前記端末に送信する映像の録画の開始及び／又は終了を指示するトリガ信号を予め定められた条件に従って生成し、該トリガ信号を該端末に送信することを特徴とする請求項１に記載の分析装置。
【請求項３】
前記制御手段が、予め定められた条件に従って前記映像を選択的に前記端末に送信することを特徴とする請求項１に記載の分析装置。
【請求項４】
前記制御手段が、前記端末より受信したカメラ制御信号に従って、前記カメラインターフェースに接続されたカメラを動作させることを特徴とする請求項１〜３のいずれかに記載の分析装置。
【請求項５】
ネットワークに接続された端末を、該ネットワークに接続された分析装置の制御端末として動作させるための制御プログラムであって、
前記分析装置に接続された、該分析装置を撮影するカメラにて撮影された映像を前記ネットワークを通じて受信する処理と、
該受信した映像を該端末のモニタ上に表示させる処理と、
を前記端末に実行させることを特徴とする分析装置の制御端末用制御プログラム。
【請求項６】
受信した前記映像を録画する処理を前記端末に実行させることを特徴とする請求項５に記載の分析装置の制御端末用制御プログラム。
【請求項７】
前記分析装置より送信されたトリガ信号に従って、前記映像の録画の開始及び／又は終了を行う処理を前記端末に実行させることを特徴とする請求項６に記載の分析装置の制御端末用制御プログラム。
【請求項８】
前記分析装置に接続されたカメラを動作させるためのカメラ制御信号を送信する処理を前記端末に実行させることを特徴とする請求項５〜７のいずれかに記載の分析装置の制御端末用制御プログラム。
【発明の詳細な説明】
【技術分野】
【０００１】
本発明は、ネットワーク（データ通信ネットワーク）に接続される分析装置に関する。また、本発明はネットワーク上の端末を該分析装置の制御端末として動作させるための制御プログラムに関する。
【背景技術】
【０００２】
従来より、分析装置にネットワークインターフェースを組み込み、ネットワークを通じて遠隔の端末から分析装置を制御することが提案されている（例えば特許文献１参照）。このような分析装置では、分析結果や分析状態を端末に対して送信するだけでなく、装置内に設けられた温度センサ・圧力センサ等の測定値も端末に送信する。また、それらのセンサによる検出値が所定の範囲を超えた場合、或いは、それらの測定センサとは別に設けられた異常検出センサが所定の異常を検出した場合には、エラー内容や発生時刻を含むエラー信号も分析装置から端末に送信される。これらにより、オペレータは遠隔の端末から分析装置の異常を含めた様々な稼働状況を把握することができる。
【特許文献１】特開2006-148813号公報
【発明の開示】
【発明が解決しようとする課題】
【０００３】
上記のような、遠隔の端末から分析装置の稼働状況を確認することが可能な従来の分析装置では、端末において、所定のセンサの測定値の異常や所定の異常検出センサが発する信号でしか分析装置の異常を検出することができず、それ以外に生じ得る分析装置自体やその周辺の様々な異常を検出することはできない。
【０００４】
例えば、分析装置が何らかの原因で傾いた場合、通常はそのような異常を検出するセンサが設けられていないため、それを検出することができない。この場合、分析値に明らかな異常が出れば、オペレータが経験や勘でその分析値の異常を発見し、その原因を装置の異常に結びつけることも可能であるが、分析値への影響が軽微な異常であると、そのまま見過ごされてしまい、正常でない分析値が正常であると扱われて、信頼性のないデータが作成されてしまう恐れがあった。
【０００５】
本発明は以上のような課題を解決するために成されたものであり、その目的は、上記のような異常の場合も含め、所定のセンサの測定値等の予め定められた情報からだけでは知ることができない様々な状況を遠隔の端末から確認することができる分析装置を提供することである。また、本発明は、その制御端末の制御プログラムも提供する。
【課題を解決するための手段】
【０００６】
上記課題を解決するために成された本発明に係る分析装置は、
ネットワークに接続するためのネットワークインターフェースを備えた分析装置であって、
該分析装置を撮影するカメラを接続するためのカメラインターフェースと、
前記カメラによって撮影される映像を前記カメラインターフェースを通じて取り込み、該映像を前記ネットワークに接続される端末に前記ネットワークインターフェースを通じて送信する制御手段と、
を備えることを特徴とする。
【０００７】
また、上記課題を解決するために成された本発明に係る分析装置の制御端末用制御プログラムは、ネットワークに接続された端末を、該ネットワークに接続された分析装置の制御端末として動作させるための制御プログラムであって、
前記分析装置に接続された、該分析装置を撮影するカメラにて撮影された映像を前記ネットワークを通じて受信する処理と、
該受信した映像を該端末のモニタ上に表示させる処理と、
を前記端末に実行させることを特徴としている。
【発明の効果】
【０００８】
本発明に係る分析装置や制御プログラムによれば、分析装置に接続されたカメラで撮影された分析装置等の映像を端末のモニタに表示させることができる。これによって、所定のセンサの測定値等では検出し得ない分析装置の異常や、端末に送信される予め定められた種類の情報からでは知ることができない分析装置の様々な状況を遠隔から確認することができる。この結果、分析の信頼性が一層高められる。
【発明を実施するための最良の形態】
【０００９】
図１に本発明に係る分析装置の一実施形態の概略構成を示す。分析装置１０とそれを遠隔から制御するためのパソコン３０は共にイントラネット等のネットワーク４０に接続されている。
なお、以下の説明では分析装置１０として液体クロマトグラフを例として述べるが、これはガスクロマトグラフや質量分析装置等の他の分析装置であってもよい。
また、本実施形態では端末としてパソコン３０を用いているが、これは汎用的なパソコンに限定されることはなく、例えば専用に用意された制御用コンピュータをはじめとする各種のコンピュータを端末として用いることができる。
ネットワーク４０はイントラネットのほか、インターネットであってももちろん構わない。または分析装置１０を遠隔操作するために専用に構築された専用ネットワークであっても良い。
【００１０】
分析装置１０は機能別に分けられた複数のユニットから構成されており、具体的には前処理部１１、送液ポンプ１２、オートサンプラ１３、カラムオーブン１４、検出器１５及びこれらの動作を統括的に制御するコントローラ２０からなる。送液ポンプ１２には圧力センサが、カラムオーブン１４には温度センサが設けられている。
【００１１】
図２は、コントローラ２０の機能を示すブロック図である。コントローラ２０は、ＣＰＵやメモリ等から構成される制御部２４、分析装置１０の各ユニットに接続するための装置内通信インターフェース（Ｉ／Ｆ）２３、ネットワーク４０に接続するためのネットワークインターフェース（Ｉ／Ｆ）２１、カメラ２５を接続するためのカメラインターフェース（Ｉ／Ｆ）２２を備える。
【００１２】
カメラインターフェース２２は、カメラ２５を接続するためのインターフェースであり、接続されるべきカメラの接続・通信仕様に応じたポート及びインターフェースボードを備える。例えば、ＵＳＢやＩＥＥＥ１３９４等の汎用インターフェースを備えたカメラを使用する場合は、そのような汎用ポートを設ける。また、Ｂｌｕｅｔｏｏｔｈ等の無線通信規格に対応したカメラを用いる場合は、それに応じたインターフェースを設ける。もちろん、カメラインターフェース２２に異なる規格や仕様に対応した複数のインターフェースを含めておいても構わない。
【００１３】
カメラ２５は一般には連続的に映像を撮影してそれを出力することができる、即ち動画の撮影が可能な動画カメラを用いるが、一定の時間間隔毎でしか画像を撮影して出力することができないような静止画カメラであっても構わない。また、パンやチルト、ズーム等の動作を遠隔から制御可能なものであってもよい。さらに、カメラ２５は一台だけではなく、分析装置１０に対して複数台設置しても構わない。
【００１４】
カメラ２５は分析装置１０を撮影するように設置する。カメラ２５は分析装置１０の全体を撮影するようにすることもできるし、分析装置１０の一部だけを撮影するようにすることもできる。また、分析装置１０の外部を撮影するのではなく、その内部を撮影するようにカメラ２５を設置してもよい。例えば前処理部１１の内部などにカメラ２５を設置することもできる。さらに、図３に示すように、分析装置１０に接続された他の機器２６を撮影することもできる。従って、「分析装置１０を撮影する」とは、分析装置１０に関連した種々の箇所を撮影するという概念である。
【００１５】
パソコン３０には、ネットワーク４０を介して分析装置１０を遠隔制御するための分析装置の制御端末用制御プログラムがインストールされている。この制御プログラムを実行することにより、パソコン３０は、分析の条件や手順の設定を行う機能や、送液ポンプ１２やカラムオーブン１４に設けたセンサの測定値を受信し、それに基づいて分析条件や手順を変更したりモニタ３１に表示する機能、分析装置１０から送信されてくる分析データを解析する機能などを実現する。それらに加えパソコン３０は本実施例の制御プログラムを実行することにより、カメラ２５で撮影された静止画又は動画映像をネットワーク４０を介して受信しモニタ３１に表示する機能、受信した映像を手動又は自動で録画する機能、カメラ２５の向きを変えたりズームさせる等のカメラ制御機能なども実現する。
【００１６】
映像の転送・再生方式としては、通常はカメラ２５で撮影された映像を連続的にパソコン３０に送信し、パソコン３０の側でその映像をリアルタイムでモニタ３１に表示させることが望ましい。しかし、ネットワークの転送速度に限界がある場合等、パソコン３０の側にリアルタイムで映像を送信することが不可能または困難な場合には、分析装置１０の側で一旦映像のデータを蓄えておき、それを所定のタイミングで一括して、又はストリーミング技術を利用してパソコン３０に送信するようにしても良い。
以下、本実施形態における各機器の具体的な動作について説明する。
【００１７】
まず、オペレータがパソコン３０の入力部（図示せず）を介してパソコン３０に対してカメラ２５で撮影される映像の送信開始を入力する。この入力を受けたパソコン３０は、開始信号を、ネットワーク４０を通じて分析装置１０に送信する。分析装置１０では、その開始信号をネットワークインターフェース２１を介して制御部２４が受信する。開始信号を受信した制御部２４はカメラ２５を作動させ、撮影された映像をカメラインターフェース２２から連続的に取り込み、その映像をネットワークインターフェース２１及びネットワーク４０を通じてパソコン３０に送信する。パソコン３０は、受信したその映像をモニタ３１にリアルタイムに表示する。このようにして、オペレータは表示された映像を見て、所定のセンサの測定値やエラーコード等の予め定められた情報だけでは確認することができない分析装置１０の様々な状況を確認することができる。
【００１８】
パソコン３０は、受信する映像をモニタ３１に表示すると同時に又は表示することなく、例えばハードディスク等の記憶装置に録画してもよい。録画の開始・終了のタイミングはオペレータが手動で入力してもよいが、例えば次のように定めることもできる。
【００１９】
分析を実行する前に、オペレータがパソコン３０の入力部を介して、録画を開始・終了させる条件である録画条件を設定する。パソコン３０は設定された録画条件を示すデータを分析装置１０に送信し、制御部２４がそれを自身のメモリに保存する。なお、録画を開始する条件は例えば前処理部１１での処理の開始時や、所定のエラーが発生した時、送液ポンプ１２やカラムオーブン１４に設けられたセンサ等の測定値が所定の値になった時などとすればよい。録画終了の条件は、分析装置１０において所定の処理が終了した時点や、録画が開始されてから所定時間が経過した時点とすることができる。
【００２０】
制御部２４は、パソコン３０へ映像を連続的に送信しつつ、他方で設定された録画条件が満たされたことに基づき、録画の開始又は終了を指示するトリガ信号を生成し、それをパソコン３０に送信する。トリガ信号を受信したパソコン３０は、その指示に従って映像の録画を開始又は終了する。
これにより、オペレータが事前に指定した条件を満たす映像だけがパソコン３０において録画される。従って、分析後に確認したい映像をオペレータが容易に探し出すことができる。同時に、記憶装置の資源の節約ともなる。
パソコン３０では、記憶装置に一定の時間の映像を蓄積（バッファリング）しておき、トリガ信号を受信した前後の一定の時間の映像も最終的に録画されるようにすることが望ましい。これにより、例えば分析装置１０に何らかのエラーが発生した場合、そのエラーが検知された直後からの映像だけでなく、その前の分析装置１０の状態をもオペレータは知ることができるようになる。すなわち、分析装置１０の状態をより詳細に調べることが可能となる。なお、パソコン３０にて映像を連続的に受信し、且つそれをモニタ３１に表示させながら、予め定められた一定の時間間隔毎に静止画を保存してゆくこともできる。これによって、記憶装置の容量に限りがある場合でも、オペレータは時間を遡って分析装置１０の状態を確認することができるようになる。
【００２１】
映像を分析装置１０側に一旦保存し、それをパソコン３０に転送する場合も同様に、録画条件を制御部２４に設定しておけばよい。分析装置１０は、その録画条件に従って指定されたタイミングの映像（動画又は静止画）を分析装置１０に設けられたハードディスクなどの分析装置側記憶装置（図示せず）に一旦保存し、それを選択的にパソコン３０に送信する。パソコン３０は、受信したこの映像をモニタ３１に表示させるとともにパソコン３０の記憶装置に保存（録画）する。
これにより、パソコン３０には選択的に送信された映像のみが保存（録画）されるため、オペレータは、確認したい映像を容易に探し出すことができる。また、ストリーミング方式と比較してパソコン３０に送信するデータ量が大幅に減少するため、ネットワーク４０上のトラフィックの増加を抑制することができる。なお、分析装置１０からパソコン３０に映像を送信するタイミングは特に問わない。
【００２２】
カメラ２５の向きやズーム、ピント、明るさ、コントラスト等を調節する場合、オペレータはパソコン３０の入力部を介して所望の動作を指示する。パソコン３０はこの指示をカメラ制御信号としてネットワーク４０を通じて制御部２４に送信する。制御部２４はこのカメラ制御信号に基づき、カメラ２５を動作させる。
【００２３】
以上、本発明に係る分析装置及び分析装置の制御端末用制御プログラムについて実施例を挙げて説明を行った。しかしながら上記は例に過ぎず、本発明の精神内で適宜に改良や修正を行ったとしてももちろん構わない。
【図面の簡単な説明】
【００２４】
【図１】本発明の一実施形態である分析装置を含むネットワークの概略図。
【図２】同分析装置のコントローラの機能を示すブロック図。
【図３】同分析装置に接続された機器にカメラを向けた状態を示す概略図。
【符号の説明】
【００２５】
１０…分析装置
１１…前処理部
１２…送液ポンプ
１３…オートサンプラ
１４…カラムオーブン
１５…検出器
２０…コントローラ
２１…ネットワークインターフェース
２２…カメラインターフェース
２３…装置内通信インターフェース
２４…制御部
２５…カメラ
２６…機器
３０…パソコン
３１…モニタ
４０…ネットワーク
【図１】
2010025726.tif 000003
【図２】
2010025726.tif 000004
【図３】
2010025726.tif 000005